(57)【要約】      （修正有）【課題】水を導く管（筒）内で詰まりが生じにくく、豪雨等で流速が増して乱流が起きたとしても、確実に止水ができ、しかも、異なる場所に設置しても任意の水位に調整できる灌漑用水止水栓を提供する。【解決手段】灌漑用水止水栓１００は、田圃と用水路との間に起立させて設置される。田圃の水が少ない水位ｈ１の時に、内筒２を外筒１から引っ張り出して給水状態にしておくと、給水口からの給水に応じてフロート５が水面に追従して上昇していく。そして、適量の水位になると、つるまきばね３，４の付勢力により内筒が外筒内に引っ張り込まれて止水状態になる。フロートを取り付けたシャフト６は、ストッパー１７に回動可能に取り付けられ、ストッパーの回動によってフロートの位置を変えて水位を調整する。【選択図】図１
0003212334.tif 000002
【実用新案登録請求の範囲】
【請求項１】
設置時に、下に開口する下開口、上に開口する上開口、前記下開口側の周面の一部を開口させた給水口、及び、前記上開口側の周面の一部を開口させた挿入口が形成され、起立させて設置される外筒と、
前記外筒内を上下にスライド可能な内筒と、
前記外筒内から上側に突出した前記内筒を前記外筒内に引っ張るように付勢する付勢手段と、
水に浮くフロートと、
一端側に前記フロートを取り付けるとともに、中間部が屈曲形成されたシャフトと、
前記シャフトの他端側が回動自在に取り付けられるとともに、前記フロートの上下動に伴い回動して前記外筒の挿入口に差し入れて前記内筒の下部を支える突部が設けられたストッパーと、
を備え、
給水時には、前記内筒を引き上げて前記ストッパーの突部を前記挿入口に差し入れて、前記内筒の下部を支えることにより前記内筒を引き上げた状態を保持させ、
水位が上がって前記フロートが適量の水位位置の水面に浮上したとき、前記突部が前記内筒から外れ、前記付勢手段によって前記内筒が前記外筒内に引き込まれ、前記給水口が前記内筒により遮られるように構成され、
前記ストッパーに対して前記シャフトを回動することにより、前記フロートを上下動させて水位位置を可変させた灌漑用水止水栓。
【請求項２】
他端側をストッパーに回動自在に取り付けらたれシャフトは、屈曲可能な金属棒によって形成された請求項１に記載の灌漑用水止水栓。
【考案の詳細な説明】
【技術分野】
【０００１】  本考案は、用水路から田圃へ供給する灌漑用水を適度な水位で止水するのに好適な灌漑用水止水栓に関する。
【背景技術】
【０００２】  一般に、農家では、一日に数回、田圃へ出向いて給水作業を行い、更に、田圃へ出向いて止水作業を行う必要がある。このような給水作業及び止水作業は、稲の生長や天気の状態によって、シロカキ時期から稲刈り直前までの半年間続けなければならない。そのため、従来、灌漑用水の水量をコントロールする技術として、特許文献１〜３等に記載のものが知られている。【０００３】  この特許文献１には、筒体の中に取り付けられたフロートによって水位を調節する技術が記載されている。【０００４】  また、特許文献２には、外筒及び内筒に矩形状の複数の切り欠きを形成し、水位に伴って上下するフロートによって切り欠きの開閉を切り替えて水量を調節する技術が記載されている。【０００５】  また、特許文献３には、筒体の中にフロート状の球体弁が取り付けられ、その球体弁に接続されるフロートの水位に伴って球体弁を開閉して水量を調節する技術が記載されている。
【先行技術文献】
【特許文献】
【０００６】
【特許文献１】特開２０００−２０１５５１号公報
【特許文献２】特開２００２−３３５７８１号公報
【特許文献３】特開２００９−１１２２９６号公報
【考案の概要】
【考案が解決しようとする課題】
【０００７】  しかしながら、上記特許文献１に記載のフロ―トを利用した灌漑具は、筒体の中にフロートが取り付けられるため、豪雨等の後に、フロートやその機構に伐採された植物等の不純物が引っかかって、筒内が詰まりやすく、また、詰まった場合の除去作業が大変という問題がある。【０００８】  また、上記特許文献２に記載の水位調節弁は、外筒及び内筒に矩形状の複数の切り欠きを形成する必要があるため、製造に手間が掛かるという問題がある。【０００９】  また、上記特許文献３に記載の水位調整装置は、筒体の中にフロート状の球体弁を取り付けるようになっているため、豪雨等で水流が速くなったときに乱流が生じると、筒内で球体が振動してしまって、流量をコントロールできなくなってしまう可能性がある。【００１０】  一方、上述した灌漑具や水位調整装置は、装置とフロートの相対位置が決まっていることから、設置する場所により水位を変えることができない問題がある。仮に水位を変える場合には、逆に装置を上下動して調整しなくてはならず、適正かつ任意の水位に設定することができなかった。【００１１】  そこで、本考案の課題は、水を導く管（筒）内で詰まりが生じにくく、豪雨等で流速が増して乱流が起きたとしても、確実に止水ができ、しかも、異なる場所に設置しても任意の水位に調整できる灌漑用水止水栓を提供することにある。
【課題を解決するための手段】
【００１２】  本考案による灌漑用水止水栓は、設置時に、下に開口する下開口、上に開口する上開口、前記下開口側の周面の一部を開口させた給水口、及び、前記上開口側の周面の一部を開口させた挿入口が形成され、起立させて設置される外筒と、前記外筒内を上下にスライド可能な内筒と、前記外筒内から上側に突出した前記内筒を前記外筒内に引っ張るように付勢する付勢手段と、水に浮くフロートと、一端側に前記フロートを取り付けるとともに、中間部が屈曲形成されたシャフトと、前記シャフトの他端側が回動自在に取り付けられるとともに、前記フロートの上下動に伴い回動して前記外筒の挿入口に差し入れて前記内筒の下部を支える突部が設けられたストッパーと、を備え、給水時には、前記内筒を引き上げて前記ストッパーの突部を前記挿入口に差し入れて、前記内筒の下部を支えることにより前記内筒を引き上げた状態を保持させ、水位が上がって前記フロートが適量の水位位置の水面に浮上したとき、前記突部が前記内筒から外れ、前記付勢手段によって前記内筒が前記外筒内に引き込まれ、前記給水口が前記内筒により遮られるように構成され、前記ストッパーに対して前記シャフトを回動することにより、前記フロートを上下動させて水位位置を可変させることを要旨としている。【００１３】  また、他端側をストッパーに回動自在に取り付けらたれシャフトは、屈曲可能な金属棒によって形成することが望ましい。
【考案の効果】
【００１４】  本考案による灌漑用水止水栓によれば、田圃に給水が必要な時、つまり、水位が低い時に、外筒から内筒を引っ張り出されて、シャフトの他端側を挿入口に挿入させる。これによって、シャフトの他端側が、内筒が外筒内に戻らないように、内筒の下側端を押さえているため、給水口と下開口とが連通して、用水路からの水が給水路及び下開口を通って田圃に流入する。このとき、シャフトの一端側のフロートは、田圃の水面に浮かんでいるため、低い水位に合わせて下方に下がった状態になっている。そして、田圃の水位が上がってくると、それに伴ってフロートが上昇し、シャフトを回転させていくため、次第に、シャフトの他端側が挿入口から抜き出されていく。これによって、田圃の水位が所望の高さになったとき、シャフトの他端側が挿入口から抜け、内筒の押さえがなくなって、内筒が外筒内に引き込まれる。これによって、給水口と下開口との間に内筒の周面が位置して、用水路から田圃へ供給する水を止めることができる。したがって、この構成によれば、外筒内をスライドする内筒の下動だけで水の止水を行うため、水を導く管（筒）内で詰まりが生じにくく、また、豪雨等で流速が増して乱流が起きたとしても、付勢手段によって内筒の下動を補助するため確実に止水ができ、内筒、外筒及びフロートを用いる簡易な構造の灌漑用水止水栓を提供することができる。【００１５】  さらに、フロートを一端側に取り付けたシャフトは、中間部が屈曲形成され、しかも、シャフトの他端側をストッパーに回動自在に取り付けているので、シャフトを回動させることによりフロートの位置を上下に調整できることから、任意の水位に調整することが可能となる。また、灌漑用水止水栓を異なる場所に設置した場合にも、その設置場所に応じた水位に設定できるので、設置が容易であり、適正な水位による止水ができる。【００１６】
【図面の簡単な説明】
【００１７】
【図１】本考案の実施形態の灌漑用水止水栓を示す斜視図である。
【図２】図１に示す灌漑用水止水栓の止水状態を示す斜視図である。
【図３】図１に示す灌漑用水止水栓のシャフトの動作を示す説明図である。
【図４】（Ａ）は給水状態、（Ｂ）は止水状態を示す要部断面図である。
【図５】図１に示す灌漑用水止水栓の外筒及び内筒を説明する斜視図であり、（Ａ）は給水状態、（Ｂ）は止水状態を示す。
【図６】図１に示す灌漑用止水栓の使用例を示す説明図であり、（Ａ）は給水状態、（Ｂ）は止水状態を示す。
【考案を実施するための形態】
【００１８】  本考案による灌漑用水止水栓は、設置時に、下に開口する下開口、上に開口する上開口、前記下開口側の周面の一部を開口させた給水口、及び、前記上開口側の周面の一部を開口させた挿入口が形成され、起立させて設置される外筒と、前記外筒内を上下にスライド可能な内筒と、前記外筒内から上側に突出した前記内筒を前記外筒内に引っ張るように付勢する付勢手段と、水に浮くフロートと、一端側に前記フロートを取り付けるとともに、中間部が屈曲形成されたシャフトと、前記シャフトの他端側が回動自在に取り付けられるとともに、前記フロートの上下動に伴い回動して前記外筒の挿入口に差し入れて前記内筒の下部を支える突部が設けられたストッパーと、を備え、給水時には、前記内筒を引き上げて前記ストッパーの突部を前記挿入口に差し入れて、前記内筒の下部を支えることにより前記内筒を引き上げた状態を保持させ、水位が上がって前記フロートが適量の水位位置の水面に浮上したとき、前記突部が前記内筒から外れ、前記付勢手段によって前記内筒が前記外筒内に引き込まれ、前記給水口が前記内筒により遮られるように構成され、前記ストッパーに対して前記シャフトを回動することにより、前記フロートを上下動させて水位位置を可変させるように構成されている。
【００１９】  以下、本考案による灌漑用水止水栓について、図面に基づいて説明する。図１は、本発明の実施形態の灌漑用水止水栓を示す斜視図であり、給水状態を示す。図２は、図１に示す灌漑用水止水栓の止水状態を示す斜視図である。灌漑用水止水栓１００は、起立させて設置される外筒１内で内筒２を上下にスライドさせて給水状態と止水状態とを切り替えるものである。その切り替えには、フロート５の浮力を利用している。
【００２０】  外筒１には、下に開口する下開口１１と、上に開口する上開口１２と、前記上開口側の周面の一部を開口させた小径の挿入口１３と、下開口１１側（図中下側）の周面の一部を開口させた開口筒（給水口）１４とが形成されている。なお、外筒１は、円筒形状をしているが、これに限らず、断面四角形状等の筒であってもよい。下開口１１は、外筒１の底面に位置しているが、開口筒１４と同じ高さ程度の周面を切り欠いた形状であってもよく、この場合、底面が開口していなくてもよい。上開口１２は、内筒２がスライド可能であれば構わないため、内筒２の上部が位置可能な空間を有していることを意味する。そのため、内筒２のスライド範囲よりも長い外筒１を用いる場合、外筒１の上部に蓋を被せた構造であってもよい。
【００２１】  内筒２は、下に開口する下開口２１及び上に開口する上開口２２を形成され、外筒１の内壁をスライド可能な形状となっている。なお、内筒２の内壁は、外筒１の内壁の形状に合わせて成型すればよい。また、灌漑用水止水栓１００は、内筒２に水を流す構造ではないため、上端及び下端に蓋をした構造としてもよく、また、単なる柱体としてもよい。
【００２２】  外筒１の上側端には、取付具１５，１６が取り付けられている。内筒２の上側端には、取付具２３，２４が取付棒２５によって内筒２の２つの穴（不図示）に軸支されている。取付具１５，１６と取付具２３，２４との間には、つるまきばね３，４がそれぞれ接続されている。つるまきばね３，４は、伸ばしたときに縮まる方向に付勢する弾性力を働かせる特性を有する。そのため、外筒１内が水で満たされていたとしても、つるまきばね３，４の弾性力によって外筒１内に内筒２を引き込むことができる。
【００２３】  また、外筒１の上側縁の取付具１５には、ストッパー１７が取り付けられている。このストッパー１７は、図３、図４に示すように、一端を外筒１に固定したＬ字状の基台１７ａと、下端に突部１７ｂが形成された回動部１７ｃからなり、基台１７ａと回動部１７ｃとは、軸１７ｄによって回動自在に軸支されている。また、回動部１７ｃの上端側は略Ｌ字状に形成された固定部１７ｅが形成され、シャフト６の他端側が取り付けられている。このシャフト６の他端側先端には雄ねじが形成され、固定部１７ｅの透孔に挿通され、裏面側からナット１７ｆによってねじ止めされている。そして、ナット１７ｆを緩めることによって、図３の二点鎖線で示すように、シャフト６を回動させることができる。また、回動部１７ｃの下端に形成された突部１７ｂは、外筒１の挿入口１３に差し入れ可能になっている。
【００２４】  シャフト６は、図３に示すように、中間部が屈曲形成されている。シャフト６は、屈曲可能な金属棒によって形成されていて、任意の角度に屈曲させることができる。なお、シャフト６は、図示のように、略く字状に屈曲する以外に、略円弧状に湾曲させても良い。そして、シャフト６の一端側にはフロート５が取り付けられている。このフロート５は、中空球状体であり、水面に浮く構造になっている。なお、球状体でなくてもその形状は構わない。シャフト６の中間部を屈曲させることにより、図３に示すように、フロート５の位置を任意に変更できる。このように屈曲することにより、後述するように、水位を設定することが可能となる。
【００２５】  一方、外筒１の開口筒１３には、延長筒７が挿入され、長さが調節自在になっている。また、この延長筒７の先端には、ホース等を接続するようにしてもよい。同様に、外筒１の下開口１１にもホース等を接続してもよい。
【００２６】  以下に、以上の構成の灌漑用水止水栓１００の動作を説明する。図１に示すように、給水時には、内筒２を引き上げることにより、図４（Ａ）に示すように、ストッパー１７の回動部１７ｃに形成された突部１７ｂを挿入口１３に差し入れて、内筒２の下端を支えることにより、内筒２を引き上げた状態が保持される。また、図４（Ｂ）に示すように、当初ｈ１であった水位が上がってフロート５が水位ｈ２の位置の水面に浮上すると突部１７ｂが挿入口１３から外れ、つるまきばね３，４及び自重によって内筒２が外筒１内に引張り込まれ、給水口が内筒により遮られた状態を保持させる。これによって、矢印に示すように、延長筒７の右側開口から水が流入し、外筒１の内壁内を通って下開口１１から水を排出する。このとき、フロート５は、水位ｈ１の位置の水面に浮上している。
【００２７】  そして、水位が上がってフロート５が水位ｈ２の位置の水面に浮上すると、図２に示すように、突部１７ｂ挿入口１３から外れ、つるまきばね３，４及び自重によって内筒２が外筒１内に引っ張り込まれる。すると、延長筒７の右側開口から流入していた水が止められる。
【００２８】  次に、灌漑用水止水栓１００における水位調整機構について説明する。上述したように、シャフト６の他端側は、固定部１７ｅにナット１７ｆによってねじ止めされている。図３において実線で示す角度で取り付けられた位置では、水面が浮上して水位ｈ２になった状態で水が止められる。灌漑用水止水栓１００を設置する場所、或いは、異なる水位に設定する場合には、フロート５の高さを変更する必要がある。この場合には、ナット１７ｆを緩め、シャフト６を図３において二点鎖線で示す角度に変更した後、ナット１７ｆを締め付ける。この状態では、フロート５の位置が低くなり、水位ｈ３の水位に対応することができる。また、水位ｈ３よりも低い水位ｈ４に設定する場合は、シャフト６を回動させる手段の他に、前述したように、シャフト６の中間部を任意の角度θに屈曲させることにより、更に低い水位ｆ４に対応させることができる。さらに、シャフト６の回動角度の変更、及び、シャフト６の屈曲のいずれか一方、或いは、併用によって、任意の水位に対応させて調整することが可能となり、広範な場所で灌漑用水止水栓１００を使用することが可能となる。
【００２９】  続いて、外筒１及び内筒２の水の止水の構造についてさらに詳細に説明する。図３は、図１に示す灌漑用水止水栓の外筒及び内筒を説明する斜視図であり、（Ａ）に給水状態、（Ｂ）に止水状態を示す。給水時には、内筒２が上側に逃げているため、外筒１の内壁が開口筒１４の開口から覗いている。そのため、開口筒１４と下開口１１とが外筒１の内壁内で連通している。一方、止水時には、内筒２が下側に下がっているため、内筒２の周面が開口筒１４の開口を遮ってしまい、開口筒１４の開口が内筒２によって遮られている。このように、内筒２の周面が開口筒１４の弁の機能を備えている。
【００３０】  最後に、田圃への設置状態を簡単に説明する。図４は、図１に示す灌漑用止水栓の使用例を説明する図であり、（Ａ）に給水状態、（Ｂ）に止水状態を示す。灌漑用水止水栓１００は、田圃と用水路Ｒとの間に起立させて設置される。上記詳細に説明したように、田圃の水が少ない水位ｈ１の時に、内筒２を外筒１から引っ張り出して給水状態にしておくと、フロート５が水面に追従して上下していく。そして、適量の水位ｈ２になると、内筒２が内筒１内に引っ張り込まれて止水状態になる。
【００３１】  本考案の実施例について説明したが、本考案は上記実施例に限定されるものではなく、その要旨を逸脱しない範囲で種々変形可能である。
【符号の説明】
【００３２】１００  水栓
１  外筒
１１  下開口
１２  上開口
１３  挿入口
１４  開口筒（給水口）
１５，１６  取付具
１７  取付具
１７  ストッパー
１７ｂ  突部
１７ｃ  回動部
１７ｄ  軸
１７ｆ  ナット
２  内筒
２１  下開口
２２  上開口
２３，２４  取付具
２５  取付棒
３，４  つるまきばね
５  フロート
６  シャフト
７  延長筒
【図１】
0003212334.tif 000003
【図２】
0003212334.tif 000004
【図３】
0003212334.tif 000005
【図４】
0003212334.tif 000006
【図５】
0003212334.tif 000007
【図６】
0003212334.tif 000008